(57)【要約】      （修正有）【課題】亜硫酸塩（香料の特徴及び強度を保つため）の濃度を最小限にする、安定な液体洗剤組成物を含むパウチの改善された香料寿命を提供する。【解決手段】水溶性フィルムと、水溶性フィルム内に含有される液体洗剤組成物と、を含む、パウチ。液体洗剤組成物は、ａ）アルカノールアミンと、ｂ）亜硫酸塩と、ｃ）アルデヒド又はケトンを含む香油と、ｄ）イオウ含有プロ香料化合物と、を含む、パウチ。【効果】改善された安定性と香料寿命をもたらす。【選択図】なし【特許請求の範囲】
【請求項１】
パウチであって、水溶性フィルムと、前記水溶性フィルム内に含まれる液体洗剤組成物と、を含み、前記組成物が、
ａ）アルカノールアミンと、
ｂ）亜硫酸塩と、
ｃ）アルデヒド又はケトンを含む香油と、
ｄ）イオウ含有プロ香料化合物と、を含む、パウチ。
【請求項２】
前記イオウ含有プロ香料化合物が、式（Ｉ）：
Ｙ−Ｓ−Ｇ−Ｑ                          （Ｉ）
式中、
（ｉ）Ｙは、以下に示す（Ｙ−１）〜（Ｙ−７）からなる群から選択される遊離基であり、異性体を含み、
【化１】
2018009176.tif 000011
式中、波線は、イオウ結合の場所を表し、点線は、一重又は二重結合を表し、
（ｉｉ）Ｇは、２〜１５個の炭素原子を有する直鎖又は分枝鎖アルキル又はアルケニル遊離基由来の二価又は三価の遊離基から選択され、
（ｉｉｉ）Ｑは、水素、−Ｓ−Ｙ基、又は−ＮＲ２−Ｙ基から選択され、このとき、Ｙは、独立して上で定めたものから選択され、Ｒ２は、水素又はＣ１〜Ｃ３アルキル基から選択される、の化合物を含む、請求項１に記載のパウチ。
【請求項３】
Ｇが、−ＯＲ１、ＮＲ１２、−ＣＯＯＲ１、Ｒ１基、及びこれらの組み合わせからなる群から選択される１つ以上の基で置換された２〜１５個の炭素原子を有する直鎖又は分枝鎖アルキル又はアルケニル遊離基由来の二価の遊離基であり、Ｒ１が、水素原子又はＣ１〜Ｃ６アルキル又はアルケニル基から選択され、好ましくは、Ｇが、少なくとも１つの−ＣＯＯＲ１基で置換された２〜１５個の炭素原子を有する、直鎖又は分枝鎖アルキル又はアルケニル遊離基由来の二価の遊離基であり、Ｒ１が、水素原子又はＣ１〜Ｃ６アルキル又はアルケニル基から選択される、請求項２に記載のパウチ。
【請求項４】
Ｇが、８〜１５個の炭素原子を有する直鎖アルキル遊離基由来の二価の遊離基、又は−ＣＨ２ＣＨ（ＣＯＯＲ１）基のいずれかから選択され、Ｒ１が、水素又はメチル若しくはエチル基である、請求項２に記載のパウチ。
【請求項５】
Ｙが、Ｙ−１、Ｙ−２、又はＹ−３基から選択される、請求項２に記載のパウチ。
【請求項６】
前記イオウ含有プロ香料化合物が、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプタ−６−エン−３−オン、３−（ドデシルチオ）−５−イソプロペニル−２−メチルシクロヘキサノン、及びこれらの組み合わせからなる群から選択される、請求項２に記載のパウチ。
【請求項７】
前記イオウ含有プロ香料化合物が、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン１−イル）−２−ブタノン、４−（ドデシルチオ）−４−（２，６，６−トリメチルシクロヘキサ−１−エン−１−イル）−２−ブタノン、３−（ドデシルチオ）−５−イソプロペニル−２−メチルシクロヘキサノン、及びこれらの組み合わせからなる群から選択され、好ましくは、３−（ドデシルチオ）−５−イソプロペニル−２−メチルシクロヘキサノンである、請求項６に記載のパウチ。
【請求項８】
前記アルカノールアミンが、メタノールアミン、エタノールアミン、プロパノールアミン、及びこれらの組み合わせからなる群から選択され、好ましくは、エタノールアミンであり、より好ましくは、モノエタノールアミンである、請求項１に記載のパウチ。
【請求項９】
前記亜硫酸塩が、亜硫酸水素ナトリウム、亜硫酸ナトリウム、亜硫酸水素カリウム、亜硫酸カリウム、及びこれらの組み合わせからなる群から選択され、好ましくは、亜硫酸水素ナトリウム又は亜硫酸カリウムである、請求項１に記載のパウチ。
【請求項１０】
前記アルデヒド又はケトンを含む香油が、ケトンを含む香油であり、前記ケトンを含む香料が、α−ダマスコーン、δ−ダマスコーン、イソ−ダマスコーン、カルボン、γ−メチル−イオノン、β−イオノン、イソ−Ｅ−スーパー、２，４，４，７−テトラメチル−オクト−６−エン−３−オン、ベンジルアセトン、β−ダマスコーン、ダマセノン、メチルジヒドロジャスモネート、メチルセドリロン、ヘジオン、フロラロゾン、及びこれらの組み合わせからなる群から選択される香料原料（ＰＲＭ）を含む、請求項１に記載のパウチ。
【請求項１１】
前記アルカノールアミンが、組成物の約０．５重量％〜約７重量％で存在し、
前記亜硫酸塩が、組成物の約０．０５重量％〜約１重量％で存在し、
前記アルデヒド又はケトンを含む香油が、組成物の約０．１重量％〜３重量％で存在し、
前記イオウ含有プロ香料化合物が、組成物の約０．０１重量％〜約３重量％で存在する、請求項１に記載のパウチ。
【請求項１２】
前記亜硫酸塩が、組成物の約０．１重量％〜約０．４重量％で存在する、請求項１１に記載のパウチ。
【請求項１３】
組成物の約３重量％〜約２１重量％の直鎖アルキルベンゼンスルホン酸塩（ＬＡＳ）を更に含む、請求項１１に記載のパウチ。
【請求項１４】
組成物の０．０１重量％未満のアミン支援型送達系（ＡＡＤ）を含む、請求項１に記載のパウチ。
【請求項１５】
前記組成物が、香料マイクロカプセル（ＰＭＣ）を更に含む、請求項１に記載のパウチ。
【請求項１６】
前記組成物が、約７〜９のｐＨを有する、請求項１に記載のパウチ。
【請求項１７】
前記水溶性フィルムがポリビニルアルコールである、請求項１に記載のパウチ。
【請求項１８】
複数の区画を含み、前記組成物が前記複数の区画のうち１つの区画内に含まれる、請求項１７に記載のパウチ。
【請求項１９】
２つの区画を含み、前記２つの区画が、第１の区画と、第２の区画と、からなり、前記組成物が、前記第１の区画内に含まれ、第２の組成物が、前記第２の区画内に含まれ、前記第２の組成物が、アミン支援型送達系（ＡＡＤ）を含む、請求項１８に記載のパウチ。
【請求項２０】
３つの区画を含み、前記３つの区画が、第１の区画と、第２の区画と、第３の区画と、からなり、前記第１の区画及び前記第２の区画が、隣り合って置かれ、前記第３の区画の上に重ねられ、前記組成物が、前記第１の区画又は前記第２の区画内に含まれる、請求項１８に記載のパウチ。
【発明の詳細な説明】
【技術分野】
【０００１】
本発明は、水溶性フィルムと、水溶性フィルム内に含有される液体洗剤組成物と、を含む、パウチに関する。
【背景技術】
【０００２】
消費者製品は、このような製品及び／又はこのような製品で処理された部位へ所望の香りを提供する、１つ以上の香油及び／又は香料送達系を含むことができる。現在の香油及び香料送達系は望ましい香りを提供しているが、洗剤組成物中に組み込まれているとき、又は、部位（例えば、処理された布地）上に付着したときに、改善された香料寿命を有する、すなわち、香料の特徴及び強度が長く維持される製品をユーザーは引き続き求めている。ここ数年、香料送達系は進化し、改善された香料寿命に対するユーザーのニーズに応えている一方で、香油は、即時に香りをもたらすのにより適切である。
【０００３】
液体洗剤組成物又はかかる組成物を含むパウチに関しては、香油又は香料送達系を組み込むと、配合物の安定性の問題につながる。特に、一般に香油に含有されるアルデヒド又はケトンは、従来液体洗剤組成物中で中和剤として使用される一級アミン（例えば、アルカノールアミン）とシッフ塩基反応によって反応し得る。シッフ塩基反応は、香料とアルカノールアミンの両方に悪影響を及ぼし、それによって組成物の変色の原因となる場合がある。シッフ塩基反応を防ぐため、亜硫酸塩の使用が既知である。理論に束縛されるものではないが、亜硫酸塩は、競合的にアルデヒド又はケトンと結合することにより、アルデヒド又はケトンがアルカノールアミンと反応するのを防ぐ。しかしながら、液体洗剤組成物中に亜硫酸塩を組み込むと、慎重な香料送達系の選択を必要とする。
【発明の概要】
【発明が解決しようとする課題】
【０００４】
したがって、改善された香料寿命を提供するが、亜硫酸塩（香料の特徴及び強度を保つため）の濃度を最小限にする、安定な液体洗剤組成物を含むパウチに対するニーズがある。特に、本発明は、アルカノールアミンと、亜硫酸塩と、アルデヒド又はケトンを含む香油と、香料送達系と、を含む一方で、改善された香料寿命をもたらす、安定な液体洗剤組成物を含むパウチを提供する。
【０００５】
本発明の利点は、長期間にわたって変色しない液体洗剤組成物含むパウチを提供することである。
【０００６】
本発明の別の利点は、長期間にわたって魅力的な外観を提供する液体洗剤組成物含むパウチを提供することである。
【課題を解決するための手段】
【０００７】
一態様では、本発明は、水溶性フィルムと、水溶性パウチ中に含有される液体洗剤組成物と、を含む、パウチを目的とし、この液体洗剤組成物は、ａ）アルカノールアミン（aklanolamine）と、ｂ）亜硫酸塩と、ｃ）アルデヒド又はケトンを含む香油と、ｄ）イオウ含有プロ香料化合物と、を含む。
【０００８】
亜硫酸塩は、組成物の変色をもたらし得る、アルカノールアミンとアルデヒド又はケトンを含む香油との間のシッフ塩基反応を防ぐ作用をする。しかしながら、亜硫酸塩を組み込むと、慎重な香料送達系の選択を必要とする。例えば、高分子アミンと、香料原料（ＰＲＭ）と、を含むアミン支援型香料送達系（ＡＡＤ）は、亜硫酸塩と反応する更なるアルデヒド又はケトンを放出でき、すなわち、シッフ塩基反応を防ぐことを意図した亜硫酸塩を消費する。そのため、本発明において驚くべきことに、出願人は、こうした液体洗剤組成物、すなわち、アルカノールアミンと、亜硫酸塩と、アルデヒド又はケトンを含む香油と、を含む液体洗剤組成物において、組成物中にイオウ含有プロ香料化合物を組み込むと、安定性の問題を生じずに、別の種類の香料送達系（例えばＡＡＤ）に対して改善された香料寿命をもたらすことを見出した。
【０００９】
理論に束縛されるものではないが、イオウ含有プロ香料化合物では、香料原料（ＰＲＭ）、例えば、δ−ダマスコーンは、他の化学構造と共有結合するため、亜硫酸塩と反応に利用できないと考えられる。亜硫酸塩によるシッフ塩基反応の防止作用は、香料の特徴及び強度を保ちながら影響を受けない。要するに、改善された香料寿命を有する安定な液体洗剤組成物を含むパウチが得られる。
【００１０】
別の態様では、本発明は、ａ）アルカノールアミンと、ｂ）亜硫酸塩と、ｃ）アルデヒド又はケトンを含む香油と、ｄ）イオウ含有プロ香料化合物と、を含む、液体洗剤組成物を目的とする。
【００１１】
更に別の態様では、本発明は、液体洗剤組成物と、複数の区画を有する容器と、を含む、洗剤製品を目的とし、組成物は、複数の区画のうち１つの区画内に含まれ、アミン支援型送達系（前記組成物中に組み込まれると変色をもたらし得る）は複数の区画のうち別の区画内に存在する。
【図面の簡単な説明】
【００１２】
【図１】実施例３及び４のヘッドスペースデータを示すグラフである。
【発明を実施するための形態】
【００１３】
定義
本明細書で使用するとき、用語「洗剤製品」は、布地ケア、ホームケア、スキンケア、及びヘアケアの分野において、布地、硬質又は軟質表面、皮膚、毛髪、又は任意のその他表面の洗浄又は処理に関する製品を意味する。洗剤製品として、洗濯洗剤、洗濯洗剤添加剤、固形洗濯石鹸、布地柔軟剤、カーペットクリーナー、床クリーナー、風呂場クリーナー、トイレクリーナー、シンククリーナー、食器洗浄洗剤、空気ケア、車ケア、皮膚保湿剤、皮膚洗浄剤、皮膚トリートメントエマルション、シェービングクリーム、皮膚パック、毛髪用シャンプー、毛髪用コンディショナーなどが挙げられるがこれらに限定されない。用語「部位」は、本明細書において、洗剤製品で処理される表面（例えば、布地、硬質又は軟質表面、皮膚、毛髪）を指す。
【００１４】
本明細書で使用するとき、用語「液体洗剤組成物」は、液体、ゲル、クリーム、及びこれらの組み合わせからなる群から選択される形態の洗剤組成物を指す。液体洗剤組成物は、水性又は非水性のいずれかであってよく、異方性、等方性、又はこれらの組み合わせであってよい。
【００１５】
本明細書で使用するとき、用語「パウチ」は、水溶性フィルムと、水溶性フィルム内に含有された洗剤組成物と、を含むタイプの洗剤製品を指す。用語「区画」は、本明細書において、洗剤組成物が水溶性フィルムに包まれているパウチの部分を指す。
【００１６】
本明細書で使用するとき、用語「容器」は、製品が中に含まれており、保管、輸送、及び分注に使用される包装容器を指す。容器は、ボトル、ジャー、カップなどであってよい。
【００１７】
本明細書で使用するとき、用語「香油」は、本明細書で使用するとき、１つ以上の香料原料（ＰＲＭ）と、任意の溶媒と、を含む、遊離の揮発性油を指し、このときＰＲＭと結合又は反応する化合物は意図的に加えられておらず、そのためにＰＲＭは遊離しており、揮発して、ユーザーの嗅覚で検知できるように利用できる。用語「アルデヒド又はケトン」は、本明細書において、アルデヒド又はケトンの化学的部分を意味し、用語「アルデヒド又はケトンを含む香油」は、本明細書において、アルデヒド又はケトン含有ＰＲＭを含む香油を指す。用語「香料送達系」は、本明細書において、ＰＲＭの特定の化合物との組み合わせ又は反応生成物を指し、これによって香料の部位上への付着効率、及び／又は、香料の制御放出が向上する。例えば、イオウ含有プロ香料は一種の香料送達系である。用語「香料」は、本明細書において、ＰＲＭ、香料送達系、香油、又は、これらによって得られる心地よい香りを指す一般的用語である。用語「香り」及び「匂い」は同義である。
【００１８】
本明細書で使用するとき、組成物が特定の成分を「実質的に含まない」ときとは、その組成物が、組成物に対して微量に満たない、あるいは０．１重量％未満、あるいは０．０１重量％未満、あるいは０．００１重量％の特定成分を含むことを意味する。
【００１９】
本明細書で使用するとき、「ａ」及び「ａｎ」を含む冠詞は、特許請求の範囲で使用されるとき、１以上の請求又は記載されるものを意味するものと理解される。
【００２０】
本明細書で使用するとき、用語「含む（comprise、comprises、comprising）」、「包含する（include、includes、including）」、「含有する（contain、contains、containing）」は、非限定的である、すなわち、最終結果に影響を及ぼすことのない他の工程及び他の成分を加えることができることを指す。上記用語には、「からなる」及び「から本質的になる」という用語が包含される。
【００２１】
液体洗剤組成物
本発明の液体洗剤組成物は、ａ）アルカノールアミンと、ｂ）亜硫酸塩と、ｃ）アルデヒド又はケトンを含む香油と、ｄ）イオウ含有プロ香料化合物と、を含む。液体洗剤組成物は、好ましくは、液体洗濯洗剤組成物、又は液体布地柔軟剤組成物、又は液体食器用洗剤組成物であり、より好ましくは、液体洗濯洗剤組成物である。
【００２２】
好ましくは、液体洗剤組成物中で、アルカノールアミンは、組成物の約０．１重量％〜約１０重量％で存在し、亜硫酸塩は、組成物の約０．０１重量％〜約３重量％で存在し、アルデヒド又はケトンを含む香油は、組成物の約０．０００１重量％〜約５重量％で存在し、イオウ含有プロ香料化合物は、組成物の約０．０００１重量％〜約５重量％で存在する。より好ましくは、液体洗剤組成物中で、アルカノールアミンは、組成物の約０．３重量％〜約８重量％で存在し、亜硫酸塩は、組成物の約０．０５重量％〜約１重量％で存在し、アルデヒド又はケトンを含む香油は、組成物の約０．１重量％〜約３重量％で存在し、イオウ含有プロ香料化合物は、組成物の約０．０１重量％〜約３重量％で存在する。
【００２３】
本明細書の液体洗剤組成物は、組成物に組み込む成分に応じて、酸性又はアルカリ性又はｐＨ中性であってよい。液体洗剤組成物のｐＨ範囲は、好ましくは約５〜約１１、より好ましくは約６〜約１０、更により好ましくは約７〜約９である。パウチの実施において、パウチの水溶性フィルム、例えば、ポリビニルアルコールフィルムとの適合性がより良いことから、アルカリ性組成物（例えば、約７〜約９のｐＨを有する）が好ましい。
【００２４】
アルカノールアミン
本明細書の液体洗剤組成物に組み込まれるアルカノールアミンは、中和剤として作用し、組成物の所望のｐＨを達成する。特に、アルカノールアミンを利用して、アニオン性界面活性剤、例えば直鎖アルキルベンゼンスルホン酸塩（ＬＡＳ）、又は特定の酸性成分、例えば脂肪酸を中和し、それによって好ましいアルカリ性組成物を得る。
【００２５】
本明細書のアルカノールアミンは、当該技術分野において既知である任意のアルカノールアミンであってよい。好ましくは、アルカノールアミンは、メタノールアミン、エタノールアミン、プロパノールアミン（propaneolamine）、及びこれらの組み合わせからなる群から選択され、より好ましくは、モノ−、ジ−、及びトリ−エタノールアミンなどのエタノールアミンであり、更により好ましくは、モノエタノールアミンである。
【００２６】
アルカノールアミンは、液体洗剤組成物中で任意の好適な濃度で存在してよい。好ましくは、アルカノールアミンは、組成物の約０．１重量％〜約１０重量％、あるいは約０．３重量％〜約８重量％、あるいは約０．５重量％〜約７重量％、あるいは約０．７〜約５重量％、あるいは約０．８重量％〜約２重量％で存在する。
【００２７】
亜硫酸塩
本明細書の亜硫酸塩は、当該技術分野において既知である任意の亜硫酸塩であってよい。好ましくは、亜硫酸塩は、亜硫酸水素ナトリウム、亜硫酸ナトリウム、亜硫酸水素カリウム、亜硫酸カリウム、及びこれらの組み合わせからなる群から選択される。より好ましくは、亜硫酸塩は亜硫酸水素ナトリウム又は亜硫酸カリウムである。
【００２８】
本発明の組成物中に組み込むことが可能な亜硫酸塩の濃度にはある程度の妥当な範囲があるが、釣り合いを取るべきバランスがある。一方、亜硫酸塩の濃度は、アルカノールアミンとアルデヒド又はケトンを含む香油との間のシッフ塩基反応を防止するのに十分である必要がある。一方、比較的高濃度の亜硫酸塩は、香油中に含有されるアルデヒド又はケトンの不要な消費につながり、香料の特徴及び強度を保つことが困難になる。本発明では、驚くべきことに、亜硫酸塩濃度を最小限にする一方で、改善された香料寿命を有する安定な液体洗剤組成物（すなわち、変色がない）が得られることが見出されている。一実施形態では、亜硫酸塩は、組成物の約０．０１重量％〜約３重量％、あるいは約０．０５重量％〜約１重量％、あるいは約０．０８重量％〜約０．５重量％、あるいは約０．０５重量％〜約１重量％、あるいは約０．０８重量％〜約０．５重量％、あるいは０．１重量％〜約０．４重量％で存在する。
【００２９】
アルデヒド又はケトンを含む香油
アルデヒド又はケトンを含む香油は、本明細書の液体洗剤組成物中に組み込まれ、香料放出のためのいかなる誘因を必要とせずに、ユーザーに対し即時に香りをもたらす。例えば、ユーザーが、かかる香油を含む組成物を含有する容器を開けるたびに、又は、部位に組成物を適用するたびに、ユーザーは香油由来の香りを嗅ぐことができるであろう。アルデヒド又はケトンを含む様々な香油が本明細書に用いるのに好適である。ケトンを含む香油がより好ましい。
【００３０】
ケトンを含む香油は、１つ以上のケトン部分を含み、望ましい香りを付与する任意のＰＲＭを含んでよい。好ましくは、ケトンを含む香油は、ブコキシム；イソジャスモン；メチルβ−ナフチルケトン；ムスクインダノン；トナリド／ムスクプラス；α−ダマスコーン、β−ダマスコーン、δ−ダマスコーン、イソ−ダマスコーン、ダマセノン、ダマロース、メチル−ジヒドロジャスモネート、メントン、カルボン、カンファー、フェンコン、α−イオノン、β−イオノン、ジヒドロ−β−イオノン、γ−メチルいわゆるイオノン、フロイラモン、ジヒドロジャスモン、シス−ジャスモン、イソ−Ｅ−スーパー、メチル−セドレニル−ケトン又はメチル−セドリロン、アセトフェノン、メチル−アセトフェノン、パラ−メトキシ−アセトフェノン、メチル−β−ナフチル（naphtyl）−ケトン、ベンジル−アセトン、ベンゾフェノン、パラ−ヒドロキシ−フェニル−ブタノン、セロリケトン又はリブスコン、６−イソプロピルデカヒドロ−２−ナフトン、ジメチル−オクテノン、フレスコメンテ、４−（１−エトキシビニル）−３，３，５，５−テトラメチル−シクロヘキサノン、メチル−ヘプテノン、２−（２−（４−メチル−３−シクロヘキセン−１−イル）プロピル）−シクロペンタノン、１−（ｐ−メンテン−６（２）−イル）−１−プロパノン、４−（４−ヒドロキシ−３−メトキシフェニル）−２−ブタノン、２−アセチル−３，３−ジメチル−ノルボルナン、６，７−ジヒドロ−１，１，２，３，３−ペンタメチル−４（５Ｈ）−インダノン、４−ダマスコール、ダルシニル又はカシオン、ゲルソン、ヘキサロン、イソシクレモンＥ、メチルシクロシトロン、メチル−ラベンダー−ケトン、オリボン、パラ−ｔｅｒｔ−ブチル−シクロヘキサノン、ベルドン、デルフォン、ムスコン、ネオブテノン、プリカトン、ベロウトン、２，４，４，７−テトラメチル−オクト−６−エン−３−オン、テトラメラン、ヘジオン、フロラロゾン、γ−ウンデカラクトン、エチレンブラシレート、ペンタデカノリド、メチルノニルケトン、シクロペンタデカノン、環状エチレンドデカンジオエート、３，４，５，６−テトラヒドロプソイドイオノン、８−ヘキサデセノリド、ジヒドロジャスモン、５−シクロヘキサデセノン、及びこれらの組み合わせからなる群から選択されるＰＲＭを含む。
【００３１】
一実施形態では、ケトンを含む香油は、α−ダマスコーン、δ−ダマスコーン、イソ−ダマスコーン、カルボン、γ−メチル−イオノン、β−イオノン、イソ−Ｅ−スーパー、２，４，４，７−テトラメチル−オクト−６−エン−３−オン、ベンジルアセトン、β−ダマスコーン、ダマセノン、メチルジヒドロジャスモネート、メチルセドリロン、ヘジオン、フロラロゾン、及びこれらの組み合わせからなる群から選択されるＰＲＭを含む。好ましくは、ケトンを含む香油はδ−ダマスコーンを含む。
【００３２】
アルデヒドを含む香油は、１つ以上のアルデヒド部分を含み、ケトンを含む香油のように望ましい香りも付与することができる、任意のＰＲＭを含んでよい。好ましくは、アルデヒドを含む香油は、アドキサール；アニスアルデヒド；サイマール；エチルバニリン；フロルヒドラル；ヘリオナール；ヘリオトロピン；ヒドロキシシトロネラール；コアボン；ラウリンアルデヒド；リラール；トリプラール、メロナール、メチルノニルアセトアルデヒド；Ｐ．Ｔ．ブシナール；フェニルアセトアルデヒド；ウンデシレンアルデヒド；バニリン；２，６，１０−トリメチル−９−ウンデセナール、３−ドデセン−１−アール、α−ｎ−アミルシンナミックアルデヒド、４−メトキシベンズアルデヒド、ベンズアルデヒド、３−（４−ｔｅｒｔブチルフェニル）−プロパナール、２−メチル−３−（パラ−メトキシフェニルプロパナール、２−メチル−４−（２，６，６−トリメチル−２（１）−シクロヘキセン−１−イル）ブタナール、３−フェニル−２−プロペナール、シス−／トランス−３，７−ジメチル−２，６−オクタジエン−１−アール、３，７−ジメチル−６−オクテン−１−アール、［（３，７−ジメチル−６−オクテニル）オキシ］アセトアルデヒド、４−イソプロピルベンズアルデヒド（4-isopropylbenzyaldehyde）、１，２，３，４，５，６，７，８−オクタヒドロ−８，８−ジメチル−２−ナフトアルデヒド、２，４−ジメチル−３−シクロヘキセン−１−カルボキサルデヒド、２−メチル−３−（イソプロピルフェニル）プロパナール、１−デカナール；デシルアルデヒド、２，６−ジメチル−５−ヘプテナール、４−（トリシクロ［５．２．１．０（２，６）］−デシリデン−８）−ブタナール、オクタヒドロ−４，７−メタノ−１Ｈ−インデンカルボキサルデヒド、３−エトキシ−４−ヒドロキシベンズアルデヒド、パラ−エチル−α，α−ジメチルヒドロシンナムアルデヒド、α−メチル−３，４−（メチレンジオキシ）−ヒドロシンナムアルデヒド、３，４−メチレンジオキシベンズアルデヒド、α−ｎ−ヘキシルシンナミックアルデヒド、ｍ−シメン−７−カルボキサルデヒド、α−メチルフェニルアセトアルデヒド、７−ヒドロキシ−３，７−ジメチルオクタナール、ウンデセナール、２，４，６−トリメチル−３−シクロヘキセン−１−カルボキサルデヒド、４−（３）（４−メチル−３−ペンテニル）−３−シクロヘキセン−カルボキサルデヒド、１−ドデカナール、２，４−ジメチルシクロヘキセン−３−カルボキサルデヒド、４−（４−ヒドロキシ−４−メチルペンチル）−３−シクロヘキセン（cylohexene）−１−カルボキサルデヒド、７−メトキシ−３，７−ジメチルオクタン−１−アール、２−メチルウンデカナール、２−メチルデカナール、１−ノナナール、１−オクタナール、２，６，１０−トリメチル−５，９−ウンデカジエナール、２−メチル−３−（４−ｔｅｒｔブチル）プロパナール、ジヒドロシンナミックアルデヒド、１−メチル−４−（４−メチル−３−ペンテニル）−３−シクロヘキセン−１−カルボキサルデヒド、５又は６メトキシヘキサヒドロ（methoxy0hexahydro）−４，７−メタノインダン−１又は２−カルボキサルデヒド、３，７−ジメチルオクタン−１−アール、１−ウンデカナール、１０−ウンデセン−１−アール、４−ヒドロキシ−３−メトキシベンズアルデヒド、１−メチル−３−（４−メチルペンチル）−３−シクロヘキセンカルボキサルデヒド、７−ヒドロキシ−３，７−ジメチル−オクタナール、トランス−４−デセナール、２，６−ノナジエナール、パラ−トリルアセトアルデヒド；４−メチルフェニルアセトアルデヒド、２−メチル−４−（２，６，６−トリメチル−１−シクロヘキセン−１−イル）−２−ブテナール、オルト−メトキシシンナミックアルデヒド、３，５，６−トリメチル−３−シクロヘキセンカルボキサルデヒド、３，７−ジメチル−２−メチレン−６−オクテナール、フェノキシアセトアルデヒド、５，９−ジメチル−４，８−デカジエナール、ペオニアルデヒド（６，１０−ジメチル−３−オキサ−５，９−ウンデカジエン−１−アール）、ヘキサヒドロ−４，７−メタノインダン−１−カルボキサルデヒド、２−メチルオクタナール、α−メチル−４−（１−メチルエチル）ベンゼンアセトアルデヒド、６，６−ジメチル−２−ノルピネン−２−プロピオンアルデヒド、パラ−チルフェノキシアセトアルデヒド、２−メチル−３−フェニル−２−プロペン−１−アール、３，５，５−トリメチルヘキサナール、ヘキサヒドロ−８，８−ジメチル−２−ナフトアルデヒド、３−プロピル−ビシクロ［２．２．１］−ヘプタ−５−エン−２−カルボアルデヒド、９−デセナール、２−デセナール、３−メチル−５−フェニル−１−ペンタナール、メチルノニルアセトアルデヒド、１−ｐ−メンテン−ｑ−カルボキサルデヒド、シトラール、リリアール、クミンアルデヒド、マンダリンアルデヒド、ｄａｔｉｌａｔ、ゲラニアール、シクラメンアルデヒド、カプルアルデヒド、ウンデカナール、ラウリンアルデヒド、ノンアルデヒド、１，２−ドデセナール、シス−８−ウンデセン−１−アール、テトラヒドロゲラニアール、及びこれらの組み合わせからなる群から選択されるＰＲＭを含む。
【００３３】
一実施形態では、アルデヒドを含む香油は、シトラール、１−デカナール、ベンズアルデヒド、フロルヒドラル、２，４−ジメチル−３−シクロヘキセン−１−カルボキサルデヒド；シス／トランス−３，７−ジメチル−２，６−オクタジエン−１−アール；ヘリオトロピン；２，４，６−トリメチル−３−シクロヘキセン−１−カルボキサルデヒド；２，６−ノナジエナール；α−ｎ−アミルシンナミックアルデヒド、α−ｎ−ヘキシルシンナミックアルデヒド、ｐ−ｔ−ブシナール、リラール、サイマール、メチルノニルアセトアルデヒド、トランス−２−ノネナール、リリアール、トランス−２−ノネナール、ｄａｔｉｌａｔ、アニスアルデヒド、ゲラニアール、ｉ−オクタナール、ヘリオナール、クミンアルデヒド、トリプラール、メロナール、及びこれらの組み合わせからなる群から選択されるＰＲＭを含む。
【００３４】
アルデヒド又はケトンを含む香油は、液体洗剤組成物中で任意の好適な濃度で存在してよい。好ましくは、アルデヒド又はケトンを含む香油は、組成物の約０．０００１重量％〜約５重量％、あるいは約０．０１重量％〜約４重量％、あるいは約０．１重量％〜３重量％、あるいは約０．５重量％〜約２重量％で存在する。
【００３５】
イオウ含有プロ香料化合物
用語「イオウ含有プロ香料化合物」は、本明細書において、イオウを含有するタイプのプロ香料化合物を指す。用語「プロ香料化合物」は、本明細書において、ＰＲＭと他の化学物質との反応によって得られる化合物を指し、１つ以上のＰＲＭとこれら他の化学物質との間に共有結合を有する。ＰＲＭはプロ香料化合物と呼ばれる新たな材料へと変換され、水又は光又は大気中酸素などの誘因への曝露によって元のＰＲＭ（すなわち、変換前）を放出できる。好適なプロ香料化合物及びそれらの製造方法は、米国特許第７，０１８，９７８号、同第６，８６１，４０２号、同第６，５４４，９４５号、同第６，０９３，６９１号、同第６，１６５，９５３号、及び同第６，０９６，９１８号に記載されている。
【００３６】
本明細書のイオウ含有プロ香料化合物は、式（Ｉ）の化合物を含んでよい。
Ｙ−Ｓ−Ｇ−Ｑ                      （Ｉ）
式中、
（ｉ）Ｙは、本明細書で以下に示す（Ｙ−１）〜（Ｙ−７）からなる群から選択される遊離基であり、異性体を含み、
【００３７】
【化１】
2018009176.tif 000002
式中、波線は、イオウ結合の場所を表し、点線は、一重又は二重結合を表し、
（ｉｉ）Ｇは、２〜１５個の炭素原子を有する直鎖又は分枝鎖アルキル又はアルケニル遊離基由来の二価又は三価の遊離基から選択され、
（ｉｉｉ）Ｑは、水素、−Ｓ−Ｙ基、又は−ＮＲ２−Ｙ基から選択され、このとき、Ｙは、独立して上で定めたものから選択され、Ｒ２は、水素又はＣ１〜Ｃ３アルキル基から選択される。
【００３８】
一実施形態では、Ｇは、二価又は三価の遊離基、好ましくは、−ＯＲ１、−ＮＲ１２、−ＣＯＯＲ１、Ｒ１基、及びこれらの組み合わせからなる群から選択される１つ以上の基で置換された２〜１５個の炭素原子を有する直鎖又は分枝鎖アルキル又はアルケニル遊離基由来の二価の遊離基であり、このときＲ１は、水素又はＣ１〜Ｃ６アルキル又はアルケニル基から選択される。好ましくは、Ｇは、少なくとも１つの−ＣＯＯＲ１基で置換された、好ましくは、−ＣＯＯＲ１基で置換された２〜１５個の炭素原子を有する直鎖又は分枝鎖アルキル又はアルケニル遊離基由来の二価の遊離基であり、このときＲ１は、水素又はＣ１〜Ｃ６アルキル又はアルケニル基から選択される。更により好ましくは、Ｇは、−ＣＨ２ＣＨ（ＣＯＯＲ１）基を有する直鎖アルキル遊離基由来の二価の遊離基であり、このときＲ１は水素又はメチル若しくはエチル基である。代替の実施形態では、Ｇは、置換又は非置換いずれかの８〜１５個の炭素原子を有する直鎖アルキル遊離基由来の二価の遊離基である。
【００３９】
一実施形態では、イオウ含有プロ香料化合物は式（Ｉ）の化合物であり、式中、Ｙは、上で定めるＹ−１、Ｙ−２、又はＹ−３基から選択され、Ｇ及びＱは、上記実施形態の任意の１つで定められる。
【００４０】
好ましくは、イオウ含有プロ香料化合物は、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプタ−６−エン−３−オン、３−（ドデシルチオ）−５−イソプロペニル−２−メチルシクロヘキサノン、及びこれらの組み合わせからなる群から選択される。
【００４１】
より好ましくは、イオウ含有プロ香料化合物は、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン１−イル）−２−ブタノン、４−（ドデシルチオ）−４−（２，６，６−トリメチルシクロヘキサ−１−エン−１−イル）−２−ブタノン、及び３−（ドデシルチオ）−５−イソプロペニル−２−メチルシクロヘキサノン、並びにこれらの組み合わせからなる群から選択される。３−（ドデシルチオ）−１−（２，６，６−トリメチルシクロヘキサ−３−エン−１−イル）−１−ブタノン、例えばＦｉｒｍｅｎｉｃｈ（Ｇｅｎｅｖａ，Ｓｗｉｔｚｅｒｌａｎｄ）から入手可能なＨａｌｏｓｃｅｎｔ（登録商標）Ｄは、最も好ましいイオウ含有プロ香料化合物である。
【００４２】
イオウ含有プロ香料化合物は、液体洗剤組成物中で任意の好適な濃度で存在してよい。好ましくは、イオウ含有プロ香料化合物は、組成物の少なくとも約０．０００１重量％、あるいは約０．０００１重量％〜約５重量％、あるいは約０．００１重量％〜約４重量％、あるいは約０．０１重量％〜約３重量％、あるいは約０．１重量％〜約２重量％、あるいは約０．３重量％〜約１重量％で存在する。
【００４３】
他の香料送達系
必須のイオウ含有プロ香料化合物に加えて、本明細書の液体洗剤組成物は他のタイプの香料送達系を含んでよい。本明細書に用いるのに好適な香料送達系の非限定例として、イオウ不含有プロ香料化合物、香料マイクロカプセル（ＰＭＣ）、シクロデキストリン、ゼオライト及び無機キャリア、でんぷん封入アコード、アミン支援型香料送達系（ＡＡＤ）、及びポリアクリレートカプセルが挙げられる。これらの香料送達系に関する説明は、米国特許出願公開第２００７／０２７５８６６号の段落［００２５］〜［００３０］に記載されている。
【００４４】
このように複数の種類の香料送達系を組み合わせることにより、様々な異なる香り付与物質の制御放出が可能になり、１種類のみの香油又は香料送達系が使用された場合に起こり得るように、１種類のみの香料がゆっくりと放出されるより有利である。例えば、本発明の組成物は、ＰＭＣを更に含む。ＰＭＣは、壁材料と、壁材料内に封入されるＰＲＭのコア材料と、を含む。ＰＲＭは、機械的応力（例えば摩擦）によって壁材料が破裂するまでＰＭＣから放出されず、すなわち、ＰＭＣからの香料放出は、必須の香油及びイオウ含有プロ香料化合物とは異なる時点で起こる。
【００４５】
一方、こうした液体洗剤組成物に適合しない特定の香料送達系は、好ましくは、組成物中に含有されない。例えば、上述の通り、高分子アミン及びＰＲＭを含むＡＡＤは、アルデヒド又はケトンを放出し、亜硫酸塩と反応することによって、亜硫酸塩によるシッフ塩基反応防止作用を低下させ、変色の原因となる。したがって、一実施形態では、液体洗剤組成物は、ＡＡＤを実質的に含まず、あるいは組成物の０．１重量％未満、あるいは０．０１重量％未満、あるいは０．００１重量％未満のＡＡＤを含む。代替の実施形態では、組成物は、ＡＡＤと、ＡＡＤが引き起こす変色をマスクする染料と、を更に含む。
【００４６】
液体洗剤組成物中のこれらの香料送達系の濃度（イオウ含有プロ香料化合物を含まない）は、組成物の種類などの要因によって決まるであろう。好ましくは、存在するとき、液体洗剤組成物中のこれらの香料送達系の総濃度（イオウ含有プロ香料化合物を含まない）は、組成物の少なくとも約０．０００１重量％、あるいは約０．０００１重量％〜約１０重量％、あるいは約０．００１重量％〜約５重量％、あるいは約０．１重量％〜約２重量％である。
【００４７】
追加成分
本発明の液体洗剤組成物は、１つ以上の追加成分を含んでよい。好適な追加材料として、アニオン性界面活性剤、カチオン性界面活性剤、非イオン性界面活性剤、脂肪酸、ビルダー、キレート剤、移染防止剤、分散剤、酵素及び酵素安定剤、触媒物質、漂白活性化剤、過酸化水素、過酸化水素源、予備形成済み過酸、ポリマー分散剤、粘土汚れ欠失／再付着防止剤、増白剤、泡抑制剤、染料、光漂白剤、構造伸縮性付与剤、布地柔軟剤、キャリア、向水性物質、加工助剤、溶媒、色調剤、抗菌剤、構造化剤、並びに／又は顔料が挙げられるが、これらに限定されない。下記開示に加えて、このような他の補助剤の好適な例及び使用量は、米国特許第５，５７６，２８２号、同第６，３０６，８１２号及び同第６，３２６，３４８号に記載されている。液体洗剤組成物中におけるこれら追加成分の正確な性質及びその濃度は、組成物の種類、及び組成物が使用される洗浄操作の性質によって決まる。
【００４８】
一実施形態では、組成物は、アニオン性界面活性剤を含む。アニオン性界面活性剤の非限定例として、直鎖アルキルベンゼンスルホン酸塩（ＬＡＳ）、好ましくは、Ｃ１０〜Ｃ１６ＬＡＳ；Ｃ１０〜Ｃ２０一級分枝鎖−ランダムアルキルサルフェート（ＡＳ）；Ｃ１０〜Ｃ１８二級（２，３）アルキルサルフェート；硫酸化脂肪アルコールエトキシレート（ＡＥＳ）、好ましくは、Ｃ１０〜Ｃ１８アルキルアルコキシサルフェート（ＡＥｘＳ）（式中、好ましくは、ｘは１〜３０であり、より好ましくは、ｘは１〜３である）；好ましくは、１〜５個のエトキシ単位を含む、Ｃ１０〜Ｃ１８アルキルアルコキシカルボキシレート；米国特許第６，０２０，３０３号及び同第６，０６０，４４３号に記載されているような中鎖分枝状アルキルサルフェート；米国特許第６，００８，１８１号及び同第６，０２０，３０３号に記載されているような中鎖分枝状アルキルアルコキシサルフェート；国際公開第９９／０５２４３号、同第９９／０５２４２号、及び同第９９／０５２４４号に記載されているような変性アルキルベンゼンスルホネート（ＭＬＡＳ）；メチルエステルスルホネート（ＭＥＳ）；並びにα−オレフィンスルホネート（ＡＯＳ）が挙げられる。好ましくは、組成物は、ＬＡＳ、ＡＥＳ、及びこれらの組み合わせからなる群から選択されるアニオン性界面活性剤を含む。より好ましくは、組成物はＬＡＳを含む。上述の通り、アルカノールアミンを利用して、ＬＡＳなどのアニオン性界面活性剤を中和する。アニオン性界面活性剤の総濃度は、液体洗剤組成物の約５重量％〜約９５重量％、あるいは約８重量％〜約７０重量％、あるいは約１０重量％〜約５０重量％、あるいは約１２重量％〜約４０重量％、あるいは約１５重量％〜約３０重量％で存在してよい。ＬＡＳは、液体洗剤組成物の約２重量％〜約２５重量％、あるいは約３重量％〜約２１重量％、あるいは約１５重量％〜約２０重量％で存在してよい。
【００４９】
一実施形態では、組成物は脂肪酸を含む。本明細書の脂肪酸は、好ましくは、６個以上の炭素原子による鎖長を有するものから選択され、より好ましくは、Ｃ１２〜Ｃ１８脂肪酸である。上述の通り、アルカノールアミンを利用して、脂肪酸などの酸性成分を中和する。脂肪酸は、液体洗剤組成物の約０．５重量％〜約８重量％、あるいは約１重量％〜約７重量％、あるいは約４重量％〜約６重量％で存在してよい。
【００５０】
一実施形態では、液体洗剤組成物は、組成物に色を付与する染料を更に含む。特に、特定成分間の反応に起因する組成物の変色があるとき、このように染料を組み込むことは、変色をマスクするために好ましい。
【００５１】
組成物の調製
本発明の液体洗剤組成物は一般に、液体洗剤組成物の製造に関し当該技術分野において既知である従来法によって調製される。かかる方法は、典型的には、加熱、冷却、真空などの適用下又は非適用下において、必須成分及び任意成分を任意の所望の順序で比較的均一な状態まで混合することと、それによって、成分を必要濃度で含有する液体洗剤組成物を提供することと、を含む。
【００５２】
パウチ
本発明の一態様は、液体洗剤組成物と、水溶性フィルムと、を含む、パウチを目的とし、この組成物は水溶性フィルム内に含有される。本明細書のパウチは、典型的には、閉鎖構造であり、液体洗剤組成物を含む内容量を封入している水溶性フィルム製である。パウチは、例えば、パウチが水に接触する前にパウチから組成物を放出することなく、組成物を保持し、保護するために好適な、任意の形態及び形状であってよい。正確な実施は、例えば、パウチ内の組成物の種類及び量、パウチ内の区画の数、組成物を保持、保護、並びに放出するために水溶性フィルムに必要とされる特性などの要因に依存する。
【００５３】
パウチの水溶性フィルムは、好ましくはポリマー製である。フィルムは、当該技術分野において既知の方法、例えば、ポリマーの注型成形、吹込み成形、押出成形、射出成形によって得ることができる。水溶性フィルムを製造するためのポリマーの非限定例として、ポリビニルアルコール（ＰＶＡ）、ポリビニルピロリドン、ポリアルキレンオキシド、（変性）セルロース、（変性）セルロース−エーテル又は−エステル又は−アミド、ポリアクリレートなどのポリカルボン酸及び塩マレイン酸／アクリル酸のコポリマー、ポリアミノ酸つまりペプチド、ポリアクリルアミドなどのポリアミド、デンプン及びゼラチンなどの多糖、キサンタン及びカラゴム（carragum）などの天然ゴムが挙げられる。好ましくは、水溶性フィルムは、ポリアクリレート及び水溶性アクリレート、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレート、ポリビニルアルコール、ヒドロキシプロピルメチルセルロース（ＨＰＭＣ）、並びにこれらの組み合わせからなる群から選択されるポリマーを含む。最も好ましくは、水溶性フィルムは、ポリビニルアルコール、例えば、ＭｏｎｏＳｏｌから入手可能なＭ８６３９である。パウチの水溶性フィルムを製造するのに好適なポリマーは、米国特許第６，９９５，１２６号に記載されている。
【００５４】
本明細書のパウチは、単一の区画又は複数の区画を含んでよく、好ましくは、複数の区画、例えば、２つの区画又は３つの区画を含む。多区画の実施では、パウチは、複数の区画を形成する複数のフィルムを備え、すなわち、複数のフィルムの内部容積は複数の区画に分けられる。これらの多区画パウチの例は、米国特許第４，９７３，４１６号、同第５，２２４，６０１号、及び同第８，０６６，８１８号に記載されている。
【００５５】
多区画の実施では、複数の区画のうち少なくとも２つが、同一条件下で異なる溶解度を有し、部分的又は全体的に封入している組成物を異なる時間で、例えば洗濯サイクル中の異なる時点で放出することが好ましい。用語「溶解度」は、本明細書において、フィルムの総溶解度ではなく、パウチが洗浄溶液中で破れてその内容物を放出する点を指すことを意図する。各区画における溶解度の違いは、異なるポリマー製のフィルム、異なる厚さのフィルム、若しくは溶解度が温度依存的であるフィルムによって、又は、区画の特性（例えば、区画の寸法、重量、相対位置）によって達成できる。異なる区画を有するパウチによる遅延放出を得る手段の一例では、区画は異なる溶解度を有するフィルムで作られており、国際公開第０２／０８３８０号に教示されている。１つの好ましい実施形態では、必須の液体洗剤組成物は、洗濯サイクル中にパウチの他の区画よりも遅れて溶解する区画に含まれている。これによって、区画中にイオウ含有プロ香料化合物をより長く保持することができ、洗濯サイクル中に、別の区画に含まれ、その区画から放出される特定成分、例えば漂白剤によって悪影響を受ける化合物量をより少なくする。
【００５６】
多区画の実施では、必須の液体洗剤組成物は、複数の区画のうち１つ以上の区画内に、好ましくは、複数の区画のうち１つの区画内に含まれる。パウチの複数の区画は、同じ組成物又は異なる組成物のいずれかを含んでよい。用語「異なる組成物」は、本明細書において、少なくとも１つの成分が異なる組成物を指す。一実施形態では、複数の区画のそれぞれは、本発明によって必須の液体洗剤組成物である、同じ組成物を含む。あるいは、パウチの複数の区画のうち少なくとも２つは、２つの異なる組成物を含む。好ましい実施形態では、複数の区画のそれぞれは、例えば、複数の区画に含まれる複数の組成物に異なる色を付与する異なる染料を含んで、異なる色を有することにより、ユーザーに対してより訴求力がある。
【００５７】
１つの好ましい実施形態では、パウチは２つの区画を含み、この２つの区画は、第１の区画と第２の区画とからなり、必須の液体洗剤組成物は第１の区画に含まれ、第２の組成物（液体又は固体のいずれか）は第２の区画に含まれる。具体的には、ＡＡＤが存在するとき、第２の組成物がＡＡＤを含む（すなわち、ＡＡＤは第２の区画に含まれる）ことが好ましい。
【００５８】
別の好ましい実施形態では、パウチは３つの区画を含み、この３つの区画は、第１の区画と、第２の区画と、第３の区画と、からなる。好ましくは、第１の区画及び第２の区画は、隣り合って置かれ、第３の区画の上に重ねられ（すなわち、上に置かれる）、必須の液体洗剤組成物は、第１の区画、第２の区画、及び第３の区画のうちの１つに含まれる。より好ましくは、これら２つの隣り合う区画は、洗濯サイクル中に第１の区画よりも遅れて溶解するため、必須の液体洗剤組成物は第１の区画又は第２の区画に含まれる。必須の液体洗剤組成物が第１の区画に含まれるとき、第２の区画及び第３の区画は、液体又は固体組成物のいずれかを含んでよい。例えば、第１の区画が必須の液体洗剤組成物を含み、第２の区画が液体形態の第２の組成物を含み、第３の区画が液体形態の第３の組成物を含み、このとき第２の組成物及び第３の組成物は、同じであるか異なっている。代替例としては、第１の区画が必須の液体洗剤組成物を含み、第２の区画が液体形態の第２の組成物を含み、第３の区画が固体形態の第３の組成物を含む。
【００５９】
パウチは、必要とされる操作、例えば１回の洗浄に好適な本明細書の組成物の１回量、又は、ユーザーが、例えば洗濯する量若しくは汚れの程度に応じた使用量の変更を、より柔軟にできるような部分量のみのいずれかを収容するのに便利な大きさであってよい。一実施形態では、パウチは、約１０ｍＬ〜約５０ｍＬ、好ましくは、約１２ｍＬ〜約３０ｍＬ、より好ましくは、約１５〜約２５ｍＬの内容量を有する。具体的には、より好適なパウチは、正方形又は矩形のベース部、及び約１ｃｍ〜約５ｃｍ、好ましくは、約１ｃｍ〜約４ｃｍの高さを有する。重量に関しては、パウチは、好ましくは、約５グラム〜約５０グラム、より好ましくは、約１０グラム〜約４０グラム、更により好ましくは、約１５グラム〜約３０グラムの重量を有する。
【００６０】
本発明のパウチは、当該技術分野において既知の任意の好適なプロセスによって作製できる。パウチの作製プロセス例は、米国特許第６，９９５，１２６号、同第７，１２７，８７４号、同第８，１５６，７１３号、同第７，３８６，９７１号、同第７，４３９，２１５号、及び米国特許出願公開第２００９／１９９８７７号に記載されている。例えば、米国特許第６，９９５，１２６号に開示されるように、本明細書の多区画パウチは、開いた区画を予め封止された区画で閉じるプロセスによって得ることができ、このプロセスは、予め封止された区画上の、予め封止された区画の第１の封止部とは異なる位置に第２の封止部を形成する。あるいは、米国特許出願公開第２００９／１９９８７７号に開示されるように、多区画パウチは、ａ）第１の形成表面を有する第１のパウチ作製ユニット中に第１の区画を作製する工程であって、第１の区画が、第１のパウチ作製ユニットの表面上に水溶性フィルムを置くことによって作製され、表面が、水溶性フィルムが内部に引き込まれて開いた区画を形成する成形型を有し、開いた区画が、その後洗剤組成物で充填され、好ましくは、得られた区画がその後閉じられる工程と、ｂ）第２の形成表面を有する第２のパウチ作製ユニット中に第２の区画を作製する工程であって、第２の区画が、第１の区画と同様の方法で作製され、好ましくは、その後閉じられる工程と、ｃ）第１及び第２の区画を組み合わせる工程であって、第１及び第２の形成表面が、第１及び第２の区画を接触させ、これらに圧力をかけて第１及び第２の区画を封止し、パウチを形成する工程と、ｄ）得られたパウチを切断して複数の区画を有する個々のパウチを得る工程と、によって得ることができる。
【００６１】
洗剤製品
本発明の別の態様は、液体洗剤組成物と、複数の区画を有する（すなわち、容器の内部容積が複数の区画に分けられる）容器と、を含む、洗剤製品を目的とし、複数の区画は、第１の区画と、第２の区画と、からなり、組成物は第１の区画に含まれ、第２の組成物は第２の区画に含まれ、第２の組成物はＡＡＤを含む。本明細書の容器は、好ましくは、複数の区画を有するボトル（例えば、プラスチック又はガラス又は金属）である。あるいは、容器は非水溶性の袋である。
【００６２】
試験方法
洗剤組成物の匂い性能の判定方法
洗剤組成物の匂い性能は、嗅覚グレードデータ及びヘッドスペースデータによって特徴付けられる。用語「ヘッドスペース」は、本明細書において、到達可能なヘッドスペースを指し、容器の密閉部を開けた時のユーザーによる嗅覚用サンプリングに好適な、容器中の洗剤組成物、又は組成物によって処理された布地の上部に位置する蒸気を意味する。
【００６３】
Ａ．サンプル調製
８６／１４の綿／ポリのテリー洗い布（ＥＭＣ（７６１６  Ｒｅｉｎｆｏｌｄ  Ｄｒｉｖｅ，Ｃｉｎｃｉｎｎａｔｉ，ＯＨ  ４５２３７）から入手）を試験基材として用いる。基材及び試験溶液（又は試験パウチ）をＫｅｎｍｏｒｅ  ６００  ９９リットル（３．５立方フィート）縦型洗濯機に入れ、６４リットルの水を用いて３０で１２分間洗濯する。その後、洗濯した基材を、６４リットルの水を用いて１２分間一回すすぎを行う。洗濯及びすすぎに用いた水は、０．１ｇ／Ｌ（グラム毎リットル）（６ｇｐｇ（グレイン毎ガロン））の硬度を有する。布地サンプルを得る。
【００６４】
Ｂ．嗅覚グレード
上記Ａ．サンプル調製で得た、濡らした後で自然乾燥させた布地サンプルを、嗅覚グレードの尺度について、調香師が評価する。２つのサンプルの嗅覚グレードデータを比較するとき、−３／＋３の差をもって、ユーザーが気が付く差とする。各サンプルにつき、６回繰り返して分析する。
【００６５】
Ｃ．ヘッドスペース分析
上記Ａ．サンプル調製で得た、濡らした後で自然乾燥させた布地サンプルを、部分標本として４×４ｃｍ角に切り分け、高速ヘッドスペースＧＣ／ＭＳ（質量選択検出器付きガスクロマトグラフ）法によって分析する。部分標本を２５ｍＬのヘッドスペースのバイアルに移し、７５で１０分間平衡化する。部分標本上のヘッドスペースを、５０／３０μｍ  ＤＶＢ／Ｃａｒｂｏｘｅｎ／ＰＤＭＳ（Ｓｕｐｅｒｌｃｏ  ５７３２８−Ｕ）のＳＰＭＥファイバーを用いて、ＳＰＭＥ（固相マイクロ抽出）法によって５分間サンプリングする。続いて、ＳＰＭＥファイバーを、ガスクロマトグラフ（Ｔｈｅｒｍｏ  Ｆｉｎｎｉｇａｎ）内でオンライン加熱脱着した。検体を、高速ＧＣ／ＭＳのフルスキャンモードで分析する。ダマスコーンについて、１９２の質量のイオン抽出を使用して、ダマスコーンのヘッドスペース反応を算出する（面積カウントで表す）。各サンプルにつき、６回繰り返して分析する。
【００６６】
洗剤組成物の色安定性の判定方法
洗剤組成物の色安定性は、５０で１０日間経時変化させた液によって試験する。新しいサンプル及び経時変化させたサンプルの色を、「ＨｕｎｔｅｒＬａｂ  Ｃｏｌｏｒｉｍｅｔｒｉｃ  Ｓｐｅｃｔｒｏｐｈｏｔｏｍｅｔｅｒ」を用いて測定し、Ｌ、ａ−、及びｂ−値を得る。Ｌ−値は、０〜１００を取ることができ、０は黒、１００は白である。ａ−値は、緑から赤、ｂ−値は青から黄色に変化する。Δ−値を算出して、色安定性が評価されている。
【実施例】
【００６７】
本明細書に記載の実施例は、本発明を例示することを意味するが、本発明の範囲を制限又は他の方法で定義するために使用するものではない。実施例１Ａ〜１Ｄ、２Ａ〜２Ｂ、及び３Ａ〜３Ｂは、本発明による実施例であり、実施例４Ａ〜４Ｅは、比較実施例である。
【００６８】
実施例１Ａ〜１Ｄ：液体洗濯洗剤組成物の処方
列挙された成分を列挙された比率（重量％）で含む、表１に示す以下の液体洗濯洗剤組成物を作製する。
【００６９】
【表１】
2018009176.tif 000003
ａ  Ｎｅｏｄｏｌ（登録商標）２５−７は、非イオン性界面活性剤としての、Ｓｈｅｌｌから入手可能な平均７モルのエチレンオキシドでエトキシ化されたＣ１２〜Ｃ１５アルコール
ｂ  キレート剤としてのジエチレントリアミンペンタメチレンホスホン酸
ｃ  Ｆｉｒｍｅｎｉｃｈから入手可能な３−（ドデシルチオ）−１−（２，６，６−トリメチルシクロヘキセン−３−エン−１−イル）−１−ブタノン
ｄ  Ｌｕｐａｓｏｌ（登録商標）は、ＡＡＤとしての、ＢＡＳＦから入手可能なポリエチレンイミン（ＰＥＩ）
【００７０】
実施例１Ａ〜１Ｄの組成物の調製
実施例１Ａ〜１Ｄの組成物を以下の工程によって調製する。
ａ）ＮａＯＨ、１，２プロパンジオール、及び水の混合物を、２００ｒｐｍの剪断力を加えることによって、ミキサー内で混合する。
ｂ）工程ａ）で得られた混合物の中に、クエン酸、Ｃ１１〜Ｃ１３  ＬＡＳ、ＮａＯＨ、モノエタノールアミン、Ｎｅｏｄｏｌ（登録商標）２５−７、及びＣ１２〜Ｃ１８脂肪酸を順に加え、２００ｒｐｍの剪断力を加えることによって混合し続ける。
ｃ）工程ｂ）で得られた混合物の温度を２５℃まで冷却する。
ｄ）工程ｃ）で得られた混合物にエタノールを加える。
ｅ）工程ｄ）で得られた混合物にＣ１２〜Ｃ１４ＡＥ１〜３Ｓ及びＤＴＰＭＰを加え、混合物が均一になるまで２５０ｒｐｍの剪断力を加えることによって混合し、ｐＨを８に調整する。
ｆ）工程ｅ）で得られた混合物に亜硫酸カリウム、プロテアーゼ、アミラーゼ、イオウ含有プロ香料化合物、Ｌｕｐａｓｏｌ（登録商標）（含む場合）、香料マイクロカプセル（含む場合）、染料（含む場合）、及び香油を加え、２５０ｒｐｍの剪断力を５分間加えることによって混合し続け、液体洗濯洗剤組成物を形成する。
このとき、組成物中の各成分は、表１の実施例１Ａ〜１Ｄに示す量で存在する。
【００７１】
実施例２Ａ〜２Ｂ：液体洗剤組成物の処方を含む２区画パウチ
表２に示す組成物を２つの区画を有するパウチ内に導入する。列挙された成分を列挙された比率（パウチ全体の重量ではなく、それぞれの区画中の組成物の重量によって測定された重量％）で含む、組成物を作製する。実施例２Ａ〜２Ｂの第１の区画及び第２の区画中に含まれる組成物は、両方とも液体形態であり、実施例２Ａ及び２Ｂの両方について、必須の液体洗剤組成物は第１の区画に含まれる。実施例２Ａ〜２Ｂのパウチは、２５．４グラムという同じ組成物重量を有し、第１の区画及び第２の区画に含まれる組成物の重量は、それぞれ３．４グラム及び２２グラムである。使用されるフィルムは、ＭｏｎｏＳｏｌより供給されるＭｏｎｏＳｏｌ  Ｍ８６３９フィルムである。
【００７２】
【表２】
2018009176.tif 000004
ａ  Ｓｕｒｆｏｎｉｃ（登録商標）Ｌ２４−９は、非イオン性界面活性剤としての、Ｈｕｎｔｓｍａｎから入手可能な９モルのエチレンオキシドでエトキシ化されたＣ１２〜Ｃ１４アルコール
ｂ  キレート剤としての、ジエチレントリアミン五酢酸五ナトリウム塩
ｃ  Ｆｉｒｍｅｎｉｃｈから入手可能な３−（ドデシルチオ）−１−（２，６，６−トリメチルシクロヘキセン−３−エン−１−イル）−１−ブタノン
ｄ  Ｌｕｐａｓｏｌ（登録商標）は、ＡＡＤとしての、ＢＡＳＦから入手可能なポリエチレンイミン（ＰＥＩ）
【００７３】
実施例２Ａ〜２Ｂの組成物の調製
実施例２Ａ〜２Ｂのパウチを以下の工程によって調製する。
【００７４】
１．組成物の調製
ａ）Ｎａ−ＤＴＰＡ、１，２プロパンジオール、及び水の混合物を、２００ｒｐｍの剪断力を加えることによって、ミキサー内で混合し、混合物の温度を４５℃以下に維持する。
ｂ）工程ａ）で得られた混合物の中に、モノエタノールアミン、Ｓｕｒｆｏｎｉｃ（登録商標）、グリセロール、亜硫酸水素ナトリウム、Ｃ１１〜Ｃ１３  ＬＡＳ、クエン酸、Ｃ１２〜Ｃ１８脂肪酸、及びＣ１２〜Ｃ１４ＡＥ１〜３Ｓを順に加え、２００ｒｐｍの剪断力を加えることによって混合し続け、モノエタノールアミンでｐＨを７．４に調整する。
ｃ）工程ｂ）で得られた混合物の中に、ジエチレングリコール（含む場合）、イオウ含有プロ香料化合物（含む場合）、プロテアーゼ（含む場合）、アミラーゼ（含む場合）、香料マイクロカプセル（含む場合）、染料（含む場合）、及び香油（含む場合）を加えることによって、後に第１の区画内に含まれる必須の液体洗濯洗剤組成物を形成し、このとき、組成物中の各成分は、表２の実施例２Ａ〜２Ｂの第１の区画に示す量で存在する。
ｄ）上記工程ａ）、ｂ）、及びｃ）を繰り返して、後に第２の区画内に含まれる第２の液体洗濯洗剤組成物を形成し、このとき、組成物中の各成分は、表２の実施例２Ａ〜２Ｂの第２の区画に示す量で存在する。
【００７５】
２．パウチの製造
ａ）第１のＭｏｎｏＳｏｌ  Ｍ８６３９フィルム片を小型成形型の上部に置き、その場所に固定する。この小型成形型は半球形で構成され、直径３３ｍｍ、深さ１４．５ｍｍを有する。厚さ１ｍｍのゴム層が成形型の縁部周囲に存在する。この成形型は成形型材料内にいくつかの孔を有し、真空を適用して、フィルムを成形型の中に引き込んで、成形型の内側表面にフィルムをぴったり重ねることができる。上記工程１ｃ）で得られた必須の液体洗濯洗剤組成物を成形型内に注ぐ。第２のＭｏｎｏＳｏｌ  Ｍ８６３９フィルム片を必須の液体洗濯洗剤組成物を含む小型成形型の上部に置き、成形型縁部のゴム環上に内径３４ｍｍの金属の環を適用し、中程度の圧力下で金属を加熱して、２片のフィルムを共にヒートシールすることにより第１のフィルム片を封止し、必須の液体洗濯洗剤を含む予め封止された区画（つまり、第１の区画）を形成する。金属の環を、典型的には１３５℃〜１５０℃の温度に加熱し、最大５秒間適用する。予め封止された区画は、７５ｍｍの縁のフィルムを有し、これは、封止部から外向き方向に、予め封止された区画の中心部から離れる方向に延在し、予め封止された区画を所定の位置に固定でき、４８．５ｍｍのより大きい直径を有する成形型の開口部を完全に覆えるようにする。
ｂ）第３のＭｏｎｏＳｏｌ  Ｍ８６３９フィルム片を大きいほうの成形型の上部に置き、所定の位置に固定する。大きい方の成形型は、円筒形で構成され、直径４８．５ｍｍ、深さ２２ｍｍを有する。厚さ１ｍｍのゴム層が成形型の縁部周囲に存在する。この成形型は成形型材料内にいくつかの孔を有し、真空を適用して、フィルムを大型成形型の中に引き込んで、成形型の内側表面にフィルムをぴったり重ねることができる。上記工程１ｄ）で得られた第２の液体洗濯洗剤組成物を、開いた区画（つまり、第２の区画）内に注ぐ。
ｃ）予め封止された区画を第２の液体洗濯洗剤組成物を含む大型成形型の上部に置き、所定の位置に固定して、予め封止された区画が大型成形型の開口部を覆って、予め封止された区画のフィルムの縁がゴム層の上部に適切に置かれるようにし、このときゴム層は大型成形型の縁部周囲に存在し、フィルムの縁が開いた区画を閉じる封止部の一部を形成できる。
ｄ）成形型縁部のゴム環上に内径５０ｍｍの金属の環を適用し、中程度の圧力下で金属を加熱して、フィルム片を共にヒートシールすることにより、予め封止された区画のフィルムの縁を第３のフィルム片に対して封止し、２つの区画（第１の区画が必須の液体洗濯洗剤組成物を含み、第２の区画が第２の液体洗濯洗剤組成物を含む）を備えるパウチを形成する。金属の環を、典型的には１３５℃〜１５０℃の温度に加熱し、最大５秒間適用する。
【００７６】
実施例３Ａ〜３Ｂ：液体洗剤組成物の処方を含む３区画パウチ
表３に示す組成物を、第１の区画（第１の区画）、並びに、第１の区画の上部に重ねられた２つの隣り合う区画（第２の区画及び第３の区画）を有する３区画パウチ内に導入する。列挙された成分を列挙された比率（パウチ全体の重量ではなく、それぞれの区画中の組成物の重量によって測定された重量％）で含む、組成物を作製する。実施例３Ａ〜３Ｂの第１の区画、第２の区画、及び第３の区画に含まれる組成物は、全て液体形態である（以下、それぞれ第１の組成物第２の組成物、及び第３の組成物と呼ぶ）。実施例３Ａでは、必須の液体洗剤組成物は第２の区画内に含まれ、一方実施例３Ｂでは、必須の液体洗剤組成物は第１の区画内に含まれる。実施例３Ａ〜３Ｂのパウチは、２５．４グラムという同じ組成物重量を有し、第２の区画に含まれる組成物の重量は２２グラムであり、第２の及び第３の区画に含まれる組成物の重量はそれぞれ１．７グラムである。使用されるフィルムは、ＭｏｎｏＳｏｌより共有されるＭｏｎｏＳｏｌ  Ｍ８６３９フィルムである。
【００７７】
【表３】
2018009176.tif 000005
ａ  Ｓｕｒｆｏｎｉｃ（登録商標）Ｌ２４−９は、非イオン性界面活性剤としての、Ｈｕｎｔｓｍａｎから入手可能な９モルのエチレンオキシドでエトキシ化されたＣ１２〜Ｃ１４アルコール
ｂ  キレート剤としての、ジエチレントリアミン五酢酸五ナトリウム塩
ｃ  Ｆｉｒｍｅｎｉｃｈから入手可能な３−（ドデシルチオ）−１−（２，６，６−トリメチルシクロヘキセン−３−エン−１−イル）−１−ブタノン
【００７８】
実施例３Ａ〜３Ｂの組成物の調製
実施例３Ａ〜３Ｂのパウチを以下の工程によって調製する。
【００７９】
１．組成物の調製
実施例３Ａ〜３Ｂの第１の区画、第２の区画、及び第３の区画に含まれる組成物は、各成分が表３の実施例３Ａ〜３Ｂに示す量で存在すること以外は、実施例２Ａ〜２Ｂの工程１に示すものと同じ工程によって調製される。
【００８０】
２．パウチの製造
ａ）第１の形成表面を有する第１のパウチ作製ユニットを用いて第１の区画を作製し、このとき第１の形成表面は、複数の単一空洞成形型を含む、水平移動する形成表面である。第１のＭｏｎｏＳｏｌ  Ｍ８６３９フィルム片を第１の形成表面上に置き、真空によって成形型内に引き込んで、凹部を形成し、その後、上記工程１で得られた第１の組成物を充填する。第１の区画はこのようにして形成される。
ｂ）第２の形成表面を有する第２のパウチ作製ユニットを用いて第２の区画を作製し、このとき第２の形成表面は、複数の二重空洞成形型を含む、円形に回転する形成表面である。第２のＭｏｎｏＳｏｌ  Ｍ８６３９フィルム片を第２の形成表面上に置き、真空によって二重空洞成形型内に引き込む。上記工程１で得られた第２及び第３の組成物を２つの異なる空洞内に入れ、円形形成表面の上部に第２及び第３の区画を形成する。第３のＭｏｎｏＳｏｌ  Ｍ８６３９フィルム片の側部を濡らし、濡れた側部を第２及び第３の区画の上部に置くことによって、第２及び第３の区画を封止して閉じる。
ｃ）第３のフィルム片の外側に水を塗布する。第２及び第３の区画が円形表面の最下点に到達すると、第１の区画と接触し、第１及び第２の形成表面によってかけられる圧力によって封止される。
ｄ）得られたパウチを切断して個々の多区画パウチを得る。
【００８１】
比較実施例４Ａ〜４Ｅ：液体洗剤組成物の比較処方を含む３区画パウチ
表４に示す比較組成物を、第１の区画（第１の区画）、並びに、第１の区画の上部に重ねられた２つの隣り合う区画（第２の区画及び第３の区画）を有する３区画パウチ内に導入する。列挙された成分を列挙された比率（パウチ全体の重量ではなく、それぞれの区画中の組成物の重量によって測定された重量％）で含む、組成物を作製する。比較実施例４Ａ〜４Ｅの第１の区画、第２の区画、及び第３の区画に含まれる組成物は、全て液体形態である。比較実施例４Ａ〜４Ｅのパウチは、２５グラムという同じ組成物重量を有し、第１の区画に含まれる組成物の重量は２２グラムであり、第２及び第３の区画に含まれる組成物の重量はそれぞれ１．７グラムである。使用されるフィルムは、ＭｏｎｏＳｏｌより共有されるＭｏｎｏＳｏｌ  Ｍ８６３９フィルムである。
【００８２】
【表４−１】
2018009176.tif 000006
【００８３】
【表４−２】
2018009176.tif 000007
【００８４】
【表４−３】
2018009176.tif 000008
ａ  Ｓｕｒｆｏｎｉｃ（登録商標）Ｌ２４−９は、非イオン性界面活性剤としての、Ｈｕｎｔｓｍａｎから入手可能な９モルのエチレンオキシドでエトキシ化されたＣ１２〜Ｃ１４アルコール
ｂ  キレート剤としての、ジエチレントリアミン五酢酸五ナトリウム塩
ｃ  Ｎ４−アミンは、ＡＡＤとしての、ＢＡＳＦから入手可能なＮ，Ｎ’−ビス−（３−アミノプロピル）エチレンジアミン
ｄ  Ｌｕｐａｓｏｌ（登録商標）は、ＡＡＤとしての、ＢＡＳＦから入手可能なポリエチレンイミン（ＰＥＩ）
【００８５】
比較実施例４Ａ〜４Ｅの組成物の調製
比較実施例４Ａ〜４Ｅのパウチを実施例３Ａ〜３Ｂと同じ工程によって調製するが、以下を除く。Ｎ４−アミン（含む場合）、Ｌｕｐａｓｏｌ（登録商標）（含む場合）、及びδ−ダマスコーンを工程１ｃ）で加えること、及び、各成分が表４の実施例４Ａ〜４Ｅに示す量で存在すること。
【００８６】
匂い性能に関する実施例３及び４の比較データ
本明細書で上述する洗剤組成物に対する匂い性能の判定方法に従って、実施例３Ａ〜３Ｂ及び比較実施例４Ａ〜４Ｄのパウチの匂い性能を測定する比較実験を行う。湿潤段階（ＷＦＯ）及び乾燥段階７日目及び１４日目（７日目ＤＦＯ及び１４日目ＤＦＯ）において試験した嗅覚グレードデータを表５に示し、湿潤段階及び乾燥段階１日目、７日目、及び１４日目に試験したヘッドスペースデータを図１に示す。
【００８７】
【表５】
2018009176.tif 000009
【００８８】
表５及び図１から示されるように、本発明による組成物を含むパウチ（実施例３Ａ〜３Ｂ）は、良好な匂い性能（すなわち、顕著に長く続く香り）を示す。それに対して、比較組成物を含むパウチ（比較実施例４Ａ〜４Ｄ）はいずれも、嗅覚グレードデータ及びヘッドスペースデータについて、同等の匂い性能を示さない。
【００８９】
更に、必須の液体洗剤組成物が２つの隣り合う区画のうち１つに存在するとき（実施例３Ａ）、最高の匂い性能が達成される。理論に束縛されるものではないが、これは、２つの隣り合う区画（すなわち、第２の区画及び第３の区画）は、洗濯サイクル中に第１の区画より遅れて溶解し、それによって、より長時間イオウ含有プロ香料化合物を第１の区画内に保持することが可能になり、そのために、別の区画に含まれ、その区画から放出される特定成分によって悪影響を受ける化合物の量がより少なくなるためと考えられる。
【００９０】
色安定性に関する実施例３及び４の比較データ
本明細書で上述する洗剤組成物に対する色安定性の判定方法に従って、３Ａの第２の区画、４Ｂの第２の区画、及び４Ｅの第２の区画中の組成物の色安定性を測定する比較実験を行う。ΔＬ、Δａ、Δｂ、及びΔＥを、表６に示す。
【００９１】
【表６】
2018009176.tif 000010
【００９２】
表６に示すように、本発明による液体洗剤組成物（実施例３Ａの第２の区画中の組成物）は、良好な色安定特性を示すが、比較組成物（比較実施例４Ｂの第２の区画中、及び比較実施例４Ｅの第２の区画中の組成物）は、顕著な変色を起こす。
【００９３】
全ての百分率、比率、及び割合は、特に指示がない限り、全組成物の重量を基準とする全ての温度は、特に断らない限り、摂氏温度（℃）である。特別の定めのない限り、測定は全て２５℃で行われる。構成成分又は組成物の濃度は全て、その構成成分又は組成物の活性レベルに関するものであり、市販の供給源に存在し得る不純物、例えば、残留溶媒又は副生成物は除外される。
【００９４】
本明細書の全体を通じて与えられる全ての最大の数値限定は、それよりも小さい数値限定を、そのようなより小さい数値限定があたかも本明細書に明確に記載されているものと同様にして包含するものと理解すべきである。本明細書全体を通して記載される全ての最小数値限定は、このようなより高い数値限定が本明細書に明示的に記載されているかのように、全てのより高い数値限定を含む。本明細書全体を通して記載される全ての数値範囲は、このようなより狭い数値範囲が本明細書に明示的に記載されているかのように、このようなより広い数値範囲内の全てのより狭い数値範囲を含む。
【００９５】
本明細書に開示した大きさ及び値は、記載された正確な数値に厳密に限定されるものと理解されるべきではない。むしろ、特に断らない限り、そのような大きさのそれぞれは、記載された値及びその値の周辺の機能的に同等の範囲の両方を意味するものとする。例えば、「４０ｍｍ」と開示された寸法は、「約４０ｍｍ」を意味するものである。
【００９６】
相互参照されるか又は関連する全ての特許又は特許出願、及び本願が優先権又はその利益を主張する任意の特許出願又は特許を含む、本願に引用される全ての文書は、特に除外すること又は限定することを明言しない限りにおいて、その全容にわたって本願に援用するものである。いかなる文献の引用も、それが本明細書において開示されているか若しくは特許請求の範囲に記載されているいずれかの発明に関する先行技術であることを認めるものではなく、あるいはそれが単独で又は他のいかなる参考文献（単数若しくは複数）とのいかなる組み合わせにおいても、かかる発明を教示する、提案する、又は開示することを認めるものではない。更に、本文書での用語の任意の意味又は定義の範囲が、参照により組み込まれた文書中の同様の用語の任意の意味又は定義と矛盾する場合には、本文書中で用語に割り当てられる意味又は定義に準拠するものとする。
【００９７】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【図１】
2018009176.tif 000012
【外国語明細書】
2018009176000001.pdf